(57)【要約】【課題】様々なオブジェクトを含むファイルに対し、記録時間と画像品位が適切に保たれた記録を行うことが可能な記録システムを提供すること。【解決手段】ファイル内の記録密度の情報を取得する手段を設け、同一ファイルの複数の領域に対し記録モードを適宜切り替えることにより、記録密度の分散状況に応じて、記録領域毎に適切な記録モードを自動的に選択可能となる。【選択図】        図４
2004268408.tif 000002
【特許請求の範囲】
【請求項１】
複数の記録素子を配列した記録ヘッドが記録を行いながら記録媒体に対し相対的に移動する記録主走査と、前記記録主走査とは異なる方向へ前記記録ヘッドと前記記録媒体とを相対的に所定量移動させる副走査とを交互に繰り返すことにより前記記録媒体に画像データを形成する記録システムにおいて、
前記画像データを所定の大きさの領域に分割し、前記記録素子が記録を行う記録密度を前記所定の領域単位で算出する記録密度取得手段と、
前記記録密度取得手段によって得られた情報に基づき、前記記録主走査ごとに複数の記録モードから１つを選定する記録モード選定手段と、
前記記録モード選定手段により選定された記録モード毎に前記画像データを分割する画像データ分割手段と、
前記画像データ分割手段により分割された画像データの単位で、前記選定された記録モードに従って前記記録ヘッドが１回の記録主走査で記録する画像データを作成する手段と
を有することを特徴とした記録システム。
【発明の詳細な説明】
【０００１】
【発明の属する技術分野】
本発明は、シリアル型の記録装置を適用した記録システムに関するものである。
【０００２】
【従来の技術】
近年、インクジェット方式を利用した記録装置が、プリンタ、ファクシミリ装置、複写機等の各分野で多く提供されている。このようなインクジェット記録は、主にシリアル型のものとライン型のものとに分別できるが、小型でパーソナルユースに適した構成であることから、シリアル型のものがより多く普及している。シリアル型のインクジェット記録装置では、複数の記録素子を具備した記録ヘッドを記録媒体に対し走査させながら記録を行う記録主走査と、この記録主走査とは直行する方向に記録媒体を搬送させる副走査とを交互に繰り返すことにより画像を形成させている。
【０００３】
一方、インクを吐出する為の方式についても様々なものがあるが、特に高精細な画像を高速に記録出来る方法として、個々の記録素子を形成するインク路（以下、液路とも言う）内に、例えば電気熱変換体のような熱エネルギを発生する手段を設け、この熱エネルギによりインク内に気泡を生じさせ、気泡の体積変化に応じてインク路内のインクを吐出口から吐出させる方法が知られている。その代表的な基本構成や原理については、例えば、特許文献１や特許文献２に開示されている。
【０００４】
しかし、この様な熱エネルギを利用するインクジェット記録装置では、インクの吐出の度に熱を発生させるために、高密度で高濃度の画像を高速に記録した場合に記録ヘッドの温度上昇が激しくなり、時にはインクが電気熱変換体に焦げ付いて固着してしまうこともある。そして、このような焦げ付きおよび固着がインク路を塞いでしまうと、インクの不吐出現象が発生する。インクジェット記録装置においては、記録ヘッド内の複数の記録素子の内、少しでもこの不吐出現象が発生すると、画像が劣化する。また、焦げ付きによる不吐出は回復も難しく、同一記録ヘッドを用いての記録の継続が困難になるのである。
【０００５】
以上のような不吐出現象を防ぐために、シリアル型のインクジェット記録装置では、一度にヘッドにかかる熱負担を軽減するために、同じ領域の記録データを複数回に分けて記録走査するマルチパス方式が採用されることが多い。このマルチパス方式においては、各記録走査の間に記録媒体の搬送を伴うことで、同一画像領域を複数の異なる記録素子によって画像形成することが出来るので、記録素子間の吐出ばらつきを分散させ、より滑らかで高画質な画像を得られるという利点もある。そして、マルチパス数すなわち記録走査の回数を多く設定すればするほど、画像は滑らかになり、また記録ヘッドにおける温度上昇の問題も軽減される。
【０００６】
さらに、一度にヘッドにかかる熱負担を軽減するために、記録ヘッドに温度センサを備えておき、所定値以上の温度を検出した場合には、記録を一時停止すると言った機構を採用しているものもある。
【０００７】
【特許文献１】
米国特許第４，７２３，１２９号明細書
【０００８】
【特許文献２】
米国特許第４，７４０，７９６号明細書
【０００９】
【発明が解決しようとする課題】
しかしながら、上述したような対策を実行した場合、以下のような問題が生じる。
【００１０】
マルチパス方式を採用した場合、確かに記録ヘッドの温度上昇が抑えられ、記録ヘッドの負担も軽減されるが、記録走査数すなわちパスの回数を増大させた分、記録時間が増大する。例えば同一の画像領域に対し２回の記録走査で画像を完成させる２パス記録の場合、通常の１パス記録に対し約２倍の記録時間を、４パス記録であれば約４倍の記録時間をそれぞれ要することになる。
【００１１】
また、記録時間を短くしようとパス数を減らしておきながら、所定値以上の温度を検出した場合に記録を一時停止する機構を採用した場合には、各記録走査でヘッドにかかる熱負担が大きくなり、記録の一時停止が頻繁に起こり、結果としてマルチパス方式を採用した場合よりも記録に時間を要してしまう懸念もある。
【００１２】
一般に、コンピュータ端末等より転送される画像データにおいて、文章や図面など線画が主体となる画像では、画像領域に対して実際にインクを吐出する記録画素の密度も低いことが多く、パスの回数を低い値に設定しても、温度センサによって一時停止に至る確率は低い。しかし、イラストや写真のようなグラフィックな画像では、記録画素の密度も高く、高画質な画像が要求されることが多いので、パスの回数を多く設定する場合が多い。
【００１３】
従来、マルチパス方式におけるパスの回数はユーザに対し、明示的あるいは不明示的に印刷時の設定として調整する手段が提供されていた。しかし、一般にはファイル単位でしかこの様な設定を行うことはできなかったので、同一ファイル内に線画やグラフィック画像が混在する場合には、各領域でそれぞれ適切な記録が施されているとは言えなかった。更に、ユーザの感覚に任せての設定であったために、必ずしも適切な設定が選択されているとは限らなかった。
【００１４】
本発明は上述の問題点を解消するためになされたものであり、その目的とするところは、様々なオブジェクトを含むファイルに対し、記録時間と画像品位が適切に保たれた記録を行うことが可能な記録システムを提供することである。
【００１５】
【課題を解決するための手段】
そのために本発明では、複数の記録素子を配列した記録ヘッドが記録を行いながら記録媒体に対し相対的に移動する記録主走査と、前記記録主走査とは異なる方向へ前記記録ヘッドと前記記録媒体とを相対的に所定量移動させる副走査とを交互に繰り返すことにより前記記録媒体に画像データを形成する記録システムにおいて、前記画像データを所定の大きさの領域に分割し、前記記録素子が記録を行う記録密度を前記所定の領域単位で算出する記録密度取得手段と、前記記録密度取得手段によって得られた情報に基づき、前記記録主走査ごとに複数の記録モードから１つを選定する記録モード選定手段と、前記記録モード選定手段により選定された記録モード毎に前記画像データを分割する画像データ分割手段と、前記画像データ分割手段により分割された画像データの単位で、前記選定された記録モードに従って前記記録ヘッドが１回の記録主走査で記録する画像データを作成する手段とを有することを特徴とする。
【００１６】
以上の構成によれば、記録密度の分散状況に応じて、記録領域毎に適切な記録モードが自動で選択可能になる。よって、ユーザの手を煩わせることもなく、画像データ毎に記録時間と画像品位においてバランスの取れた適切な記録を行うことが可能となる。
【００１７】
【発明の実施の形態】
以下に本発明の実施形態を説明する。
【００１８】
図１は、本発明に適用可能な記録ヘッドの分解斜視図である。本実施形態の記録ヘッド１０において、１１は複数の液路壁１２が形成された基板、１３は天板、１４は複数のノズルを構成する複数の吐出口、１５は複数の吐出口１４のそれぞれに連通する複数のインク路、１６は複数のインク路１５に共通に連通する共通液室である。画像記録用のインクは、図示しないインク供給部から供給管１７を通して共通液室１６内に供給される。共通液室１６内のインクは、毛管現象によりインク路１５内に供給され、そのインク路１５の先端の吐出口１４にてメニスカスを形成することにより、安定に保持される。インク路１５内のそれぞれには、発熱素子（電気熱変換体）１８が備えられている。配線１９を通して発熱素子１８に通電して、その発熱素子１８から熱エネルギーを発生させることにより、インク路１５内のインクが加熱されて膜沸騰により発泡し、そのときの発泡エネルギーによって吐出口１４からインク滴が吐出される。本実施形態においては、吐出口１４を３６０ｄｐｉ（ｄｏｔ／ｉｎｃｈ；参考値）のピッチで１２８個配置することによって、１色分の記録ヘッド１０が構成されている。
【００１９】
図２は、本発明を適用可能な記録装置の概略構成を説明するための斜視図である。本実施形態の記録装置５０はシリアルスキャン方式のインクジェット記録装置であり、ガイド軸５１、５２によって、キャリッジ５３が矢印Ａの主走査方向に移動自在にガイドされている。キャリッジ５３は、キャリッジモータおよびその駆動力を伝達するベルト等の駆動力伝達機構により、主走査方向に往復動される。キャリッジ５３には、記録ヘッド１０（図２においては不図示）と、その記録ヘッド１０にインクを供給するインクタンク５４が搭載される。記録ヘッド１０とインクタンク５４は、インクジェットカートリッジを構成するものであってもよい。また、複数のインク色を用いてカラー画像を形成する記録装置の場合には、各色用の記録ヘッド１０がＡ方向に複数並列していればよく、インクタンク５４も各色ごとにインクが格納された構成になっていればよい。
【００２０】
記録媒体としての用紙Ｐは、装置の前端部に設けられた挿入口５５から挿入された後、その搬送方向が反転されてから、送りローラ５６によって矢印Ｂの副走査方向に搬送される。
【００２１】
記録装置５０は、記録ヘッド１０およびインクタンク５４とを主走査方向に移動させつつ、プラテン５７上の記録媒体Ｐのプリント領域に向かってインクを吐出させる記録動作と、その記録幅に対応する距離だけ用紙Ｐを副走査方向に搬送する搬送動作とを繰り返すことによって、記録媒体Ｐ上に順次画像を記録する。
【００２２】
キャリッジ５３の移動領域における図中の左端には、キャリッジ５３に搭載された記録ヘッド１０の吐出口の形成面と対向する回復系ユニット（回復処理手段）５８が設けられている。回復系ユニット５８には、記録ヘッド１０の吐出口のキャッピングが可能なキャップと、そのキャップ内に負圧を導入可能な吸引ポンプなどが備えられており、吐出口１５を覆ったキャップ内に負圧を導入することにより、吐出口からインクを吸引排出させて、記録ヘッド１０の良好なインク吐出状態を維持すべく回復処理（「吸引回復処理」ともいう）をする。また、キャップ内に向かって、吐出口から画像の寄与しないインクを吐出させることによって、記録ヘッド１０の良好なインク吐出状態を維持すべく回復処理（「吐出回復処理」ともいう）を行うこともできる。
【００２３】
図３は、本発明を適用可能な記録装置の制御系の概略ブロック構成図である。図３において、ＣＰＵ１００は、本実施形態で適用する記録装置の動作の制御やデータ処理等を実行する。ＲＯＭ１０１は、それらの処理手順等のプログラムが格納され、またＲＡＭ１０２は、それらの処理を実行するためのワークエリアなどとして用いられる。記録ヘッド１０からのインクの吐出は、ＣＰＵ１００が記録素子の駆動データ（画像データ）および駆動制御信号をヘッドドライバ１０Ａに供給することにより行われる。ＣＰＵ１００は、キャリッジ５３を主走査方向に駆動するためのキャリッジモータ１０３をモータドライバ１０３Ａを介して制御し、また用紙Ｐを副走査方向に搬送するためのＰ．Ｆモータ１０４をモータドライバ１０４Ａを介して制御する。
【００２４】
２００は、記録装置に接続されたパーソナルコンピュータなどのホスト装置である。ホスト装置２００には、ユーザーが記録する画像を形成するアプリケーションや、記録モードを設定可能なプリンタドライバなどがインストールされている。
【００２５】
図４は、上記で説明したインクジェット記録装置によって記録を行う際のホスト装置あるいは記録装置が行う一連の処理を示したフローチャートである。
【００２６】
図４において、まずユーザーはホスト装置２００で稼動するアプリケーションソフトウェアを利用し、記録する画像データを作成する。そして、実際に記録を行う場合には、プリンタドライバなどにより、所定の設定を行った後、記録を開始させる（Ｓ１０１）。
【００２７】
記録を開始する指示が出されると、プリンタドライバにより、記録する画像データが２値化される。カラー対応の記録装置の場合には、インク色毎に複数の２値化された画像データが形成される（Ｓ１０２）。
【００２８】
２値化された画像データに対し、ファイル内各部の記録密度が求められる（Ｓ１０３）。ここで行われる詳細な作業を、図面を用いて以下に説明する。
【００２９】
図５は、Ｓ１０３で行われるファイル内各部の記録密度を求める為の分割処理を説明するための図である。本実施形態においては、マルチパス記録を行う際の紙送り量で画像を複数に分割し、この領域を記録密度を求める為の単位とする。
【００３０】
例えば本実施形態で適用する記録装置は、最大４パスまでのマルチパス記録を行うものとする。この場合、１２８個のノズルを持つ本実施形態の記録ヘッドにおいては、記録走査毎に３２ノズル分ずつの紙送りが行われることになる。よって、記録密度を求める単位は、主走査１ドット×副走査３２ドットの画像領域となる。即ち、Ｓ１０３ではこの領域に存在する３２画素のうち、実際に記録が行われる画素の割合を算出する。
【００３１】
次に、求められた記録密度に応じて、テーブルを参照し、複数の記録モードから各領域の記録モードを選定する（Ｓ１０４）。
【００３２】
図６は、Ｓ１０４で参照されるテーブルの一例を示している。すなわち、算出された記録密度に応じて、表に示したような適切な記録モードがそれぞれの領域に対して選択される。
【００３３】
図７は、１ページ分の画像データに対し、上記方法を用いて記録密度および記録モードを求める状況を示した模式図である。図７に示す様に、記録密度および記録モードを、３２画素ずつ分解されたバンド幅×主走査１ドット単位について求める。ここでは、例として、横２０ｃｍ×縦３０ｃｍの大きさを持つ画像データを用意する。本実施形態の記録装置を用いて３６０ｄｐｉでこの画像を記録する場合には、横（主走査）２８３５ドット×縦（副走査）４２５２ドットの記録画像となり、２８３５個ずつの記録密度データおよび記録モードが合計１３３バンド分作られることになる。カラー対応の記録装置の場合には、この１３３バンド分の記録密度データおよび記録モードがインク色分作られることになる。
【００３４】
ところで、Ｓ１０４で決められた各領域の記録モードは、主走査方向に対し１画素ずつの単位で決定されている。しかし、実際には、１回の主走査のなかで、マルチパス数を変更したり、記録方向（双方向あるいは片方向）を切り替えて記録することは出来ない。また、同一色の中で一つの記録モードに統一されていた場合でも、インク色毎に記録モードが異なる場合には、やはり対応不可能となる。よって、次のＳ１０５では、同一主走査ににおける各部分の記録モード、および各インク色の記録モードを全て統合して１つの記録モードを決定する。
【００３５】
Ｓ１０５において、まず各色の各領域を記録モード毎にまとめる。
【００３６】
図８は、図７で求めた情報を用い、１つのインク色における記録モードごとに各領域をまとめた状態を示したものである。ここでは、２パス片方向記録モードの領域、２パス往復記録モードの領域、および４パス片方向の記録モードの領域に３分別されたとしている。
【００３７】
次に、１３３個のライン夫々について、記録モードを決定する。
【００３８】
図９は、各ラインの記録モードを決定する方法を説明する為の図である。図９（ａ）において、縦軸は図８で示した画像の１３３ラインに付した連続番号（ラインＮｏ．１〜１３３）を示している。また、横軸は、本実施形態の記録装置が対応可能な各記録モードを示し、更に各記録モードについては、記録モードのマルチパス数に応じた数の領域に分割された、記録ヘッド上の領域をバンドＮｏ．１〜４として示している。すなわち、図８で示す様に、記録ヘッドを４つの領域に分割し、上流側をバンドＮｏ．１としている。そして２パスの記録モードにおいてはバンドＮｏ．１とバンドＮｏ．２が統一されたバンドと、バンドＮｏ．３とバンドＮｏ．４が統一されたバンドの２つのバンドが存在し、また４パスの記録モードにおいてはＮｏ．１〜Ｎｏ．４の４つのバンドが存在していることになる。
【００３９】
図９（ａ）の斜線で示した部分は、Ｓ１０４にて、その記録モードが指定された領域を示している。例えば、図８で示した画像データの上端部分では、左側の領域で２パス片方向記録モードが指定されており、右側の領域では２パス双方向記録モードが指定されている。よって、図９（ａ）では１３３ラインの最初の部分（ラインＮｏ．１〜５）において、２パス片方向記録の枠の左側、および２パス双方向記録の右側に夫々斜線が引かれてある。ここで、最大パス数の記録モードでない部分（ここでは２パスの部分）については最小ライン幅に分けられているデータを記録モードに応じたライン幅に統合する。すなわち２パスの場合には２つのラインについて１つのバンドで記録が行われるので、縦軸のライン番号も、奇数番目のみが記載されている。また、ラインＮｏ．１に対し、バンドＮｏ．１、２が記録を行っているときには、バンドＮｏ．３、４は記録すべき画像データを持たないので、斜線は引かれていない。
【００４０】
図９（ｂ）は、図９（ａ）で示した各ラインおよび各バンドでの記録モードに対し、実際に各ラインで決定した記録モードを示したものである。
【００４１】
図９（ｂ）においては、まず各ラインに対し記録モードの混在を調べる。即ち、同一ラインにおいて、複数の領域に斜線部が存在するか否かを調べる。
【００４２】
混在がない場合、そのラインは指定された記録モードに決定する。図８においては、画像の中央部あたりが２パス双方向記録のみのラインとなっている。よって、図９（ｂ）のラインＮｏ．５５〜５８についてはそのまま２パス双方向記録として決定されている。
【００４３】
混在する場合、すなわち図８の上部や下部のような場合には、複数の記録モードからどちらかを選択する。複数のマルチパスの記録モードが指定されている場合、バンド幅のより小さいもの、すなわちパス数のより多いモードが選択される。同一のパス数ではあるが、記録方向に双方向と片方向が混在している場合には、片方向を優先する。
【００４４】
図９においては、特に複数のカラーに対応しない場合で説明して来たが、複数のインク色を記録する場合においても同様である。すなわち、同一ライン同士を比較し、よりバンド幅が小さいもの、および双方向ではなく片方向を優先する形で記録モードを決定すればよい。
【００４５】
また、照合されるバンドに画像データが存在しなかった番号については、副走査の送り量をその分増加させることで対応する。
【００４６】
このような処理を行った後、図９（ｂ）のように各ラインに対する記録モードが決定する。
【００４７】
記録モードが決定されると、プリンタドライバはライン毎に決められた記録モードに従い画像データを分割する。以上の処理が図４のＳ１０５にて行われる。
【００４８】
Ｓ１０５の処理が完了すると、プリンタドライバは記録走査毎に分割された画像データを記録装置に転送する（Ｓ１０６）。
【００４９】
画像データを受け取った記録装置は、指定された画像を指定された記録モードに従って記録する（Ｓ１０７）。
【００５０】
以上で記録における一連の処理が終了する。
【００５１】
以上説明した様に、本実施形態によれば、記録システムが画像データを解析し、自動で各領域に適切な記録モードを決定させることが可能となった。よって、記録モードを選択するユーザの手間も軽減され、必要以上に記録時間をかけることも無く、記録時間および画像品位においてファイル毎に適切な記録が可能となった。
【００５２】
尚、以上の実施形態では記録ヘッドの温度上昇に効果的なマルチパス記録を採用するものとして、インクジェット記録装置を例に説明を加えてきたが、本発明はこれに限定されるものではない。インクジェット記録方法とは異なる記録方法を採用するものであっても、複数の記録モードを有するシリアル型の記録装置を採用するシステムであれば本発明は有効となる。
【００５３】
更に上記実施形態においては図３を用い、記録装置をホスト装置２００を別体とし、ホスト装置２００にインストールされたプリンタドライバにて、記録モードを決定する為の処理を行う内容で説明したが、本発明はこれに限定されるものでもない。画像データを解析し、記録モードを決定する処理自体を記録装置側で行っても良いし、また、画像データの加工なども記録システムとしての装置によって全て行われるものであってもよい。どのような切り分けにせよ、画像データの内容を解析し、その結果に応じて記録方法を同一ファイル内で変更可能な記録システムであれば、本発明は有効となる。
【００５４】
さらに、上述したような画像処理の機能を実現するためのソフトウェアまたはプリンタドライバのプログラムコードを、記録装置を含む様々なデバイスが接続された機械またはシステム内のコンピュータに供給し、機械またはシステムのコンピュータに格納されたプログラムコードによってデバイスを作動させるようにしたものも、本発明の範囲に含まれる。
【００５５】
この場合、プログラムコード自体が本発明の新規な機能を実現することになり、そのプログラムコード自体、および通信や記憶媒体などによりプログラムコードをコンピュータに供給する手段も、本発明の範囲に含まれる。
【００５６】
プログラムコードを供給するための記憶媒体としては、例えば、フロッピー（登録商標）ディスクやＣＤ−ＲＯＭのほか、ハードディスク、光ディスク、光磁気ディスク、ＣＤ−Ｒ、ＤＶＤ、磁気テープ、不揮発性のメモリカード、ＲＯＭなどを用いることができる。
【００５７】
また、コンピュータが読み出したプログラムコードを実行することにより、前述した実施形態の機能が実現されるだけでなく、そのプログラムコードの指示に基づき、コンピュータ上で稼動しているＯＳなどが実際の処理の一部または全部を行い、その処理によって本実施形態の機能が実現される場合も含まれる。
【００５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって本実施形態の機能が実現される場合も含まれる。
【００５９】
さらに加えて、記録システムの形態としては、パーソナルユースのものであるかあるいは業務ないし産業用のものであるかを問わず、コンピュータ，スキャナ，デジタルカメラ等の画像データ供給装置と、画像出力端末としてのプリンタとを有するもののほか、例えばスキャナとプリント装置とが一体となった複写機、データ送受信装置とプリント装置とが一体となったファクシミリ装置、プリンタを一体に有するワードプロセッサや電子タイプライタ、プリンタ一体化したデジタルカメラなどの形態であってもよい。
【００６０】
本発明の実施態様の例を以下に列挙する。
【００６１】
〔実施態様１〕  複数の記録素子を配列した記録ヘッドが記録を行いながら記録媒体に対し相対的に移動する記録主走査と、前記記録主走査とは異なる方向へ前記記録ヘッドと前記記録媒体とを相対的に所定量移動させる副走査とを交互に繰り返すことにより前記記録媒体に画像データを形成する記録システムにおいて、前記画像データを所定の大きさの領域に分割し、前記記録素子が記録を行う記録密度を前記所定の領域単位で算出する記録密度取得手段と、前記記録密度取得手段によって得られた情報に基づき、前記記録主走査ごとに複数の記録モードから１つを選定する記録モード選定手段と、前記記録モード選定手段により選定された記録モード毎に前記画像データを分割する画像データ分割手段と、前記画像データ分割手段により分割された画像データの単位で、前記選定された記録モードに従って前記記録ヘッドが１回の記録主走査で記録する画像データを作成する手段とを有することを特徴とした記録システム。
【００６２】
〔実施態様２〕  前記複数の記録モードは、１回の前記記録主走査によって記録される画像データの記録率あるいは前記副走査における前記記録ヘッドと前記記録媒体との相対的な搬送量のうち、少なくともどちらか一方が互いに異なっていることを特徴とする実施態様１に記載の記録システム。
【００６３】
〔実施態様３〕  前記記録モード選定手段は、前記記録密度取得手段によって得られた前記所定の領域単位の記録密度に応じて、前記複数の記録モードから１つを選定するためのテーブルを具備したことを特徴とする実施態様１または２に記載の記録システム。
【００６４】
〔実施態様４〕  前記複数の記録素子それぞれは、所定のエネルギ発生手段を備え、前記記録ヘッドはインクを吐出することで記録を行うインクジェット記録ヘッドであることを特徴とする実施態様１乃至３のいずれかに記載の記録システム。
【００６５】
〔実施態様５〕  前記インクジェット記録ヘッドは、インクを吐出するために利用されるエネルギとしてインクに膜沸騰を生じさせる熱エネルギを発生する素子を前記記録素子に対応して有することを特徴とする実施態様４に記載の記録システム。
【００６６】
〔実施態様６〕  複数の記録素子を配列した記録ヘッドが記録を行いながら記録媒体に対し相対的に移動する記録主走査と、前記記録主走査とは異なる方向へ前記記録ヘッドと前記記録媒体とを相対的に所定量移動させる副走査とを交互に繰り返すことにより前記記録媒体に画像データを形成する記録方法において、前記画像データを所定の大きさの領域に分割し、前記記録素子が記録を行う記録密度を前記所定の領域単位で算出する記録密度取得工程と、前記記録密度取得工程によって得られた情報に基づき、前記記録主走査ごとに複数の記録モードから１つを選定する記録モード選定工程と、前記記録モード選定工程により選定された記録モード毎に前記画像データを分割する画像データ分割工程と、前記画像データ分割工程により分割された画像データの単位で、前記選定された記録モードに従って前記記録ヘッドが１回の記録主走査で記録する画像データを作成する工程とを有することを特徴とした記録方法。
【００６７】
〔実施態様７〕  前記複数の記録モードは、１回の前記記録主走査によって記録される画像データの記録率あるいは前記副走査における前記記録ヘッドと前記記録媒体との相対的な搬送量のうち、少なくともどちらか一方が互いに異なっていることを特徴とする実施態様６に記載の記録方法。
【００６８】
〔実施態様８〕  実施態様６または７に記載の記録方法を実行させるための制御プログラム。
【００６９】
〔実施態様９〕  実施態様６または７に記載の記録方法を実行させるための制御プログラムを格納した記憶媒体。
【００７０】
【発明の効果】
以上説明した様に本発明によれば、記録密度の分散状況に応じて、記録領域毎に適切な記録モードを自動的に選択可能になる。よって、ユーザの手を煩わせることもなく、画像データ毎に記録時間と画像品位においてバランスの取れた適切な記録を行うことが可能となる。
【図面の簡単な説明】
【図１】本発明に適用可能な記録ヘッドの分解斜視図である。
【図２】本発明に適用可能なインクジェット記録装置である。
【図３】本発明に適用可能なインクジェット記録装置の制御系の概略ブロック構成図である。
【図４】本発明に適用可能な記録装置によって記録を行う際の一連の処理を示したフローチャートである。
【図５】ファイル内各部の記録密度を求める為の分割処理を説明するための図である。
【図６】記録モードを決定する際に参照されるテーブルの一例を示した図である。
【図７】記録密度および記録モードを求める状況を示した模式図である。
【図８】記録モードごとに各領域をまとめた状態を示した図である。
【図９】（ａ）および（ｂ）は、各ラインの記録モードを決定する方法を説明する為の図である。
【符号の説明】
１０  記録ヘッド
１０Ａ  ヘッドドライバ
１１  基板
１２  液路壁
１３  天板
１４  吐出口
１５  インク路
１６  共通液室
１７  供給管
１８  発熱素子（電気熱変換体）
１９  配線
５０  インクジェット記録装置
５１、５２  ガイド軸
５３  キャリッジ
５４  インクタンク
５５  挿入口
５６  送りローラ
５７  プラテン
５８  回復系ユニット
１００  ＣＰＵ
１０１  ＲＯＭ
１０２  ＲＡＭ
１０３Ａ  モータドライバ
１０３  キャリッジモータ
１０４Ａ  モータドライバ
１０４  Ｐ．Ｆ．モータ
２００  ホスト装置
【図１】
2004268408.tif 000003
【図２】
2004268408.tif 000004
【図３】
2004268408.tif 000005
【図４】
2004268408.tif 000006
【図５】
2004268408.tif 000007
【図６】
2004268408.tif 000008
【図７】
2004268408.tif 000009
【図８】
2004268408.tif 000010
【図９】
2004268408.tif 000011